(57)【要約】【課題】整流子近傍の冷却効果に優れた電動送風機を提供する。【解決手段】遠心ファン６側から電機子１１側に向けて順に配置したエアガイド７及び遮蔽板１３と、エアガイド７と電機子１１との間に設けた整流子１６と、整流子１６に当接される通電用のブラシ１５と、ブラシ１５を収納するブラシ管１４と、エアガイド７と一体に設けられブラシ管１４を収納するブラシ保持器１７と、を備え、ブラシ１５と整流子１６との当接部近傍に、遠心ファン６からエアガイド７を通過した送風を供給する構成とし、遮蔽板１３にブラシ１５を保持するブラシ保持器１７と重複する重複部２６をもたせて回転軸方向で拘束し、かつエアガイド７に設けた支柱１８にて回転方向を拘束して遮蔽板１３を支持するもので、遮蔽板１３の取り付けが容易で、しかもエアガイド７から整流子へ集中的に送風することできるので、整流子を効果的に冷却することができる。【選択図】図４
2016044587.tif 000002
【特許請求の範囲】
【請求項１】
遠心ファンと、
前記遠心ファンを駆動する電機子と、
前記電機子に電磁気的駆動力を与える界磁部と、
前記遠心ファンと前記電機子間に、前記遠心ファン側から前記電機子側に向けて順に配置したエアガイド及び遮蔽板と、
前記エアガイドを貫通し前記遠心ファンと前記電機子とを連結する回転軸と、
前記エアガイドと前記電機子との間に設けた整流子と、
前記整流子に当接される通電用のブラシと、
前記ブラシを収納するブラシ管と、
前記エアガイドと一体に設けられ前記ブラシ管を収納するブラシ保持器と、を備え、
前記ブラシと前記整流子との当接部近傍に、前記遠心ファンから前記エアガイドを通過した送風を供給する構成とし、
前記ブラシ保持器には溝部を、前記遮蔽板には前記溝部に入り込む重複部を設けて、前記遮蔽板の前記回転軸方向を拘束し、
かつ前記エアガイドには支柱を、前記遮蔽板には前記支柱が入り込む穴部を設けて、前記遮蔽板の回転方向を拘束することによって、前記遮蔽板を支持することを特徴とする電動送風機。
【請求項２】
遠心ファンと、
前記遠心ファンを駆動する電機子と、
前記電機子に電磁気的駆動力を与える界磁部と、
前記遠心ファンと前記電機子間に、前記遠心ファン側から前記電機子側に向けて順に配置したエアガイド及び遮蔽板と、
前記エアガイドを貫通し前記遠心ファンと前記電機子とを連結する回転軸と、
前記エアガイドと前記電機子との間に設けた整流子と、
前記整流子に当接される通電用のブラシと、
前記ブラシを収納するブラシ管と、
前記エアガイドと一体に設けられ前記ブラシ管を収納するブラシ保持器と、を備え、
前記ブラシと前記整流子との当接部近傍に、前記遠心ファンから前記エアガイドを通過した送風を供給する構成とし、
前記ブラシ管には、前記ブラシ保持器に引っ掛けて固定される引っ掛け部を有し、前記遮蔽板には、前記引っ掛け部に引っ掛かる切り欠き部を設けて、前記遮蔽板の前記回転軸方向を拘束し、かつ前記エアガイドには支柱を、前記遮蔽板には前記支柱が入り込む穴部を設けて、前記遮蔽板の回転方向を拘束することによって、前記遮蔽板を支持することを特徴とする電動送風機。
【請求項３】
遠心ファンと、
前記遠心ファンを駆動する電機子と、
前記電機子に電磁気的駆動力を与える界磁部と、
前記遠心ファンと前記電機子間に、前記遠心ファン側から前記電機子側に向けて順に配置したエアガイド及び遮蔽板と、
前記エアガイドを貫通し前記遠心ファンと前記電機子とを連結する回転軸と、
前記エアガイドと前記電機子との間に設けた整流子と、
前記整流子に当接される通電用のブラシと、
前記ブラシを収納するブラシ管と、
前記エアガイドと一体に設けられ前記ブラシ管を収納するブラシ保持器と、を備え、
前記ブラシと前記整流子との当接部近傍に、前記遠心ファンから前記エアガイドを通過した送風を供給する構成とし、
前記界磁部には、界磁巻線を巻く巻枠を有し、前記遮蔽板には、前記巻枠が嵌合する切り欠き溝を設けることによって、前記遮蔽板を支持することを特徴とする電動送風機。
【請求項４】
遠心ファンと、
前記遠心ファンを駆動する電機子と、
前記電機子に電磁気的駆動力を与える界磁部と、
前記界磁部を内包するモータケースと、
前記遠心ファンと前記電機子間に、前記遠心ファン側から前記電機子側に向けて順に配置したエアガイド及び遮蔽板と、
前記エアガイドを貫通し前記遠心ファンと前記電機子とを連結する回転軸と、
前記エアガイドと前記電機子との間に設けた整流子と、
前記整流子に当接される通電用のブラシと、
前記ブラシを収納するブラシ管と、
前記エアガイドと一体に設けられ前記ブラシ管を収納するブラシ保持器と、を備え、
前記ブラシと前記整流子との当接部近傍に、前記遠心ファンから前記エアガイドを通過した送風を供給する構成とし、
前記モータケースの外周部には孔部を、前記遮蔽板には前記孔部に入り込む突起部を設け、前記突起部を前記孔部に挿入して前記遮蔽板を固定することを特徴とする電動送風機。
【請求項５】
請求項１〜４のいずれかに１項に記載の電動送風機を有することを特徴とする電気掃除機。
【発明の詳細な説明】
【技術分野】
【０００１】
本発明は電気掃除機などの風力を利用する各種電気機器に用いられる電動送風機及び電気掃除機に関するものである。
【背景技術】
【０００２】
従来の電動送風機として、吸気孔側から排気側に向かって、遠心ファン、エアガイド、電機子の整流子及び通電用ブラシ、界磁部と電機子部を順次配置した構成のものがある。
【０００３】
すなわち、遠心ファンと、この遠心ファンを駆動する電機子と、この電機子に駆動力を与える界磁部と、前記遠心ファンと電機子間に設けたエアガイドとを備え、前記遠心ファンと電機子を回転軸で連結するとともに、前記エアガイドに保持させた通電用のブラシは電機子に設けた整流子に当接させ、この通電用ブラシと整流子との当接近傍には、前記遠心ファンから排出された送風をエアガイド通過後に供給し、その後、界磁部と電機子を通過し、界磁部を内包しているモータケースの排気孔から排出する構造としていた。（例えば、特許文献１参照）。
【先行技術文献】
【特許文献】
【０００４】
【特許文献１】特開２００９−２６１０５７号公報
【発明の概要】
【発明が解決しようとする課題】
【０００５】
上記特許文献１に記載されたような従来の電動送風機の構成では、通電用のブラシと整流子の当接部近傍に遠心ファンから排出された空気を送風して、冷却効果を得ている。しかしながら、遠心ファンからの送風は、エアガイドを通り通電用ブラシやブラシが当接する整流子及び電機子部、電機子に駆動力を与える界磁部などの電動機部全体を冷却しているが、火花が発生することで比較的高温となる整流子の冷却が十分ではないという課題があった。
【０００６】
本発明は、上記従来の課題を解決し、ブラシと当接する整流子の冷却を十分に行うための遮蔽板を容易に取り付けることができる電動送風機及び電気掃除機を提供することを目的とするものである。
【課題を解決するための手段】
【０００７】
上記従来の課題を解決するために、本発明の電動送風機は、遠心ファンと、前記遠心ファンを駆動する電機子と、前記電機子に電磁気的駆動力を与える界磁部と、前記遠心ファンと前記電機子間に、前記遠心ファン側から前記電機子側に向けて順に配置したエアガイド及び遮蔽板と、前記エアガイドを貫通し前記遠心ファンと前記電機子とを連結する回転軸と、前記エアガイドと前記電機子との間に設けた整流子と、前記整流子に当接される通電用のブラシと、前記ブラシを収納するブラシ管と、前記エアガイドと一体に設けられ前記ブラシ管を収納するブラシ保持器と、を備え、前記ブラシと前記整流子との当接部近傍に、前記遠心ファンから前記エアガイドを通過した送風を供給する構成とし、
前記ブラシ保持器には溝部を、前記遮蔽板には前記溝部に入り込む重複部を設けて、前記遮蔽板の前記回転軸方向を拘束し、かつ前記エアガイドには支柱を、前記遮蔽板には前記支柱が入り込む穴部を設けて、前記遮蔽板の回転方向を拘束することによって、前記遮蔽板を支持するもので、エアガイドと電機子の間に設けられ、エアガイドから整流子へ集中的に送風し、その結果、整流子を効果的に冷却することができ、温度上昇を抑えることが
できる遮蔽板を容易に取り付け及び支持ができることによって、生産性を保ちつつ、電動機を効果的に冷却することができる。
【０００８】
また、本発明の電動送風機は、遠心ファンと、前記遠心ファンを駆動する電機子と、前記電機子に電磁気的駆動力を与える界磁部と、前記遠心ファンと前記電機子間に、前記遠心ファン側から前記電機子側に向けて順に配置したエアガイド及び遮蔽板と、前記エアガイドを貫通し前記遠心ファンと前記電機子とを連結する回転軸と、前記エアガイドと前記電機子との間に設けた整流子と、前記整流子に当接される通電用のブラシと、前記ブラシを収納するブラシ管と、前記エアガイドと一体に設けられ前記ブラシ管を収納するブラシ保持器と、を備え、前記ブラシと前記整流子との当接部近傍に、前記遠心ファンから前記エアガイドを通過した送風を供給する構成とし、
前記ブラシ管には、前記ブラシ保持器に引っ掛けて固定される引っ掛け部を有し、前記遮蔽板には、前記引っ掛け部に引っ掛かる切り欠き部を設けて、前記遮蔽板の前記回転軸方向を拘束し、かつ前記エアガイドには支柱を、前記遮蔽板には前記支柱が入り込む穴部を設けて、前記遮蔽板の回転方向を拘束することによって、前記遮蔽板を支持するもので、エアガイドと電機子の間に設けられ、エアガイドから整流子へ集中的に送風し、その結果、整流子を効果的に冷却することができ、温度上昇を抑えることができる遮蔽板を容易に取り付け及び支持ができることによって、生産性を保ちつつ、電動機を効果的に冷却することができる。
【０００９】
また、本発明の電動送風機は、遠心ファンと、前記遠心ファンを駆動する電機子と、前記電機子に電磁気的駆動力を与える界磁部と、前記遠心ファンと前記電機子間に、前記遠心ファン側から前記電機子側に向けて順に配置したエアガイド及び遮蔽板と、前記エアガイドを貫通し前記遠心ファンと前記電機子とを連結する回転軸と、前記エアガイドと前記電機子との間に設けた整流子と、前記整流子に当接される通電用のブラシと、前記ブラシを収納するブラシ管と、前記エアガイドと一体に設けられ前記ブラシ管を収納するブラシ保持器と、を備え、前記ブラシと前記整流子との当接部近傍に、前記遠心ファンから前記エアガイドを通過した送風を供給する構成とし、
前記界磁部には、界磁巻線を巻く巻枠を有し、前記遮蔽板には、前記巻枠が嵌合する切り欠き溝を設けることによって、前記遮蔽板を支持するもので、エアガイドと電機子の間に設けられ、エアガイドから整流子へ集中的に送風し、その結果、整流子を効果的に冷却することができ、温度上昇を抑えることができる遮蔽板を容易に取り付け及び支持ができることによって、生産性を保ちつつ、電動機を効果的に冷却することができる。
【００１０】
また、本発明の電動送風機は、遠心ファンと、前記遠心ファンを駆動する電機子と、前記電機子に電磁気的駆動力を与える界磁部と、前記界磁部を内包するモータケースと、前記遠心ファンと前記電機子間に、前記遠心ファン側から前記電機子側に向けて順に配置したエアガイド及び遮蔽板と、前記エアガイドを貫通し前記遠心ファンと前記電機子とを連結する回転軸と、前記エアガイドと前記電機子との間に設けた整流子と、前記整流子に当接される通電用のブラシと、前記ブラシを収納するブラシ管と、前記エアガイドと一体に設けられ前記ブラシ管を収納するブラシ保持器と、を備え、前記ブラシと前記整流子との当接部近傍に、前記遠心ファンから前記エアガイドを通過した送風を供給する構成とし、前記モータケースの外周部には孔部を、前記遮蔽板には前記孔部に入り込む突起部を設け、前記突起部を前記孔部に挿入して前記遮蔽板を固定するもので、エアガイドと電機子の間に設けられ、エアガイドから整流子へ集中的に送風し、その結果、整流子を効果的に冷却することができ、温度上昇を抑えることができる遮蔽板を容易に取り付け及び支持ができることによって、生産性を保ちつつ、電動機を効果的に冷却することができる。
【００１１】
また、本発明の電気掃除機は、請求項１〜４のいずれかに１項に記載の電動送風機を有するもので、電動機を効果的に冷却することができるので、信頼性の高い電気掃除機を提
供することができる。
【発明の効果】
【００１２】
本発明の電動送風機は、エアガイドと電機子の間に設けられ、エアガイドから整流子へ集中的に送風し、その結果、整流子を効果的に冷却することができ、温度上昇を抑えることができる遮蔽板を容易に取り付け及び支持ができることによって、生産性を保ちつつ、電動機を効果的に冷却することができ、この電動送風機を電気掃除機に搭載することで、信頼性の高い電気掃除機を提供することができる。
【図面の簡単な説明】
【００１３】
【図１】本発明の実施の形態１における電動送風機の半断面図
【図２】同電動送風機のエアガイドを下方から見た平面図
【図３】同エアガイドに遮蔽板を取りつけた状態での横断面図
【図４】同エアガイドと遮蔽板の組立図
【図５】同遮蔽板の上面図
【図６】本発明の実施の形態２における電動送風機のエアガイドと遮蔽板との組立図
【図７】同遮蔽板の上面図
【図８】同エアガイドに遮蔽板を取りつけた状態での横断面図
【図９】本発明の実施の形態３における電動送風機の電動機の上面図
【図１０】同電動送風機の遮蔽板の上面図
【図１１】同電動機と遮蔽板の組立図
【図１２】本発明の実施の形態４における電動送風機の遮蔽板の上面図
【図１３】同電動機と遮蔽板の組立図
【図１４】図１３のＡ方向から見た部分拡大図
【発明を実施するための形態】
【００１４】
第１の発明は、遠心ファンと、前記遠心ファンを駆動する電機子と、前記電機子に電磁気的駆動力を与える界磁部と、前記遠心ファンと前記電機子間に、前記遠心ファン側から前記電機子側に向けて順に配置したエアガイド及び遮蔽板と、前記エアガイドを貫通し前記遠心ファンと前記電機子とを連結する回転軸と、前記エアガイドと前記電機子との間に設けた整流子と、前記整流子に当接される通電用のブラシと、前記ブラシを収納するブラシ管と、前記エアガイドと一体に設けられ前記ブラシ管を収納するブラシ保持器と、を備え、前記ブラシと前記整流子との当接部近傍に、前記遠心ファンから前記エアガイドを通過した送風を供給する構成とし、
前記ブラシ保持器には溝部を、前記遮蔽板には前記溝部に入り込む重複部を設けて、前記遮蔽板の前記回転軸方向を拘束し、かつ前記エアガイドには支柱を、前記遮蔽板には前記支柱が入り込む穴部を設けて、前記遮蔽板の回転方向を拘束することによって、前記遮蔽板を支持するもので、エアガイドと電機子の間に設けられ、エアガイドから整流子へ集中的に送風し、その結果、整流子を効果的に冷却することができ、温度上昇を抑えることができる遮蔽板を容易に取り付け及び支持ができることによって、生産性を保ちつつ、電動機を効果的に冷却することができる。
【００１５】
第２の発明は、遠心ファンと、前記遠心ファンを駆動する電機子と、前記電機子に電磁気的駆動力を与える界磁部と、前記遠心ファンと前記電機子間に、前記遠心ファン側から前記電機子側に向けて順に配置したエアガイド及び遮蔽板と、前記エアガイドを貫通し前記遠心ファンと前記電機子とを連結する回転軸と、前記エアガイドと前記電機子との間に設けた整流子と、前記整流子に当接される通電用のブラシと、前記ブラシを収納するブラシ管と、前記エアガイドと一体に設けられ前記ブラシ管を収納するブラシ保持器と、を備え、前記ブラシと前記整流子との当接部近傍に、前記遠心ファンから前記エアガイドを通過した送風を供給する構成とし、
前記ブラシ管には、前記ブラシ保持器に引っ掛けて固定される引っ掛け部を有し、前記遮蔽板には、前記引っ掛け部に引っ掛かる切り欠き部を設けて、前記遮蔽板の前記回転軸方向を拘束し、かつ前記エアガイドには支柱を、前記遮蔽板には前記支柱が入り込む穴部を設けて、前記遮蔽板の回転方向を拘束することによって、前記遮蔽板を支持するもので、エアガイドと電機子の間に設けられ、エアガイドから整流子へ集中的に送風し、その結果、整流子を効果的に冷却することができ、温度上昇を抑えることができる遮蔽板を容易に取り付け及び支持ができることによって、生産性を保ちつつ、電動機を効果的に冷却することができる。
【００１６】
第３の発明は、遠心ファンと、前記遠心ファンを駆動する電機子と、前記電機子に電磁気的駆動力を与える界磁部と、前記遠心ファンと前記電機子間に、前記遠心ファン側から前記電機子側に向けて順に配置したエアガイド及び遮蔽板と、前記エアガイドを貫通し前記遠心ファンと前記電機子とを連結する回転軸と、前記エアガイドと前記電機子との間に設けた整流子と、前記整流子に当接される通電用のブラシと、前記ブラシを収納するブラシ管と、前記エアガイドと一体に設けられ前記ブラシ管を収納するブラシ保持器と、を備え、前記ブラシと前記整流子との当接部近傍に、前記遠心ファンから前記エアガイドを通過した送風を供給する構成とし、
前記界磁部には、界磁巻線を巻く巻枠を有し、前記遮蔽板には、前記巻枠が嵌合する切り欠き溝を設けることによって、前記遮蔽板を支持するもので、エアガイドと電機子の間に設けられ、エアガイドから整流子へ集中的に送風し、その結果、整流子を効果的に冷却することができ、温度上昇を抑えることができる遮蔽板を容易に取り付け及び支持ができることによって、生産性を保ちつつ、電動機を効果的に冷却することができる。
【００１７】
第４の発明は、遠心ファンと、前記遠心ファンを駆動する電機子と、前記電機子に電磁気的駆動力を与える界磁部と、前記界磁部を内包するモータケースと、前記遠心ファンと前記電機子間に、前記遠心ファン側から前記電機子側に向けて順に配置したエアガイド及び遮蔽板と、前記エアガイドを貫通し前記遠心ファンと前記電機子とを連結する回転軸と、前記エアガイドと前記電機子との間に設けた整流子と、前記整流子に当接される通電用のブラシと、前記ブラシを収納するブラシ管と、前記エアガイドと一体に設けられ前記ブラシ管を収納するブラシ保持器と、を備え、前記ブラシと前記整流子との当接部近傍に、前記遠心ファンから前記エアガイドを通過した送風を供給する構成とし、
前記モータケースの外周部には孔部を、前記遮蔽板には前記孔部に入り込む突起部を設け、前記突起部を前記孔部に挿入して前記遮蔽板を固定するもので、エアガイドと電機子の間に設けられ、エアガイドから整流子へ集中的に送風し、その結果、整流子を効果的に冷却することができ、温度上昇を抑えることができる遮蔽板を容易に取り付け及び支持ができることによって、生産性を保ちつつ、電動機を効果的に冷却することができる。
【００１８】
第５の発明に係る電気掃除機は、請求項１〜４のいずれかに１項に記載の電動送風機を有するもので、電動機を効果的に冷却することができるので、信頼性の高い電気掃除機を提供することができる。
【００１９】
以下、本発明の実施の形態について、図面を参照しながら説明する。なお、この実施の形態によって本発明が限定されるものではない。
【００２０】
（実施の形態１）
本発明の実施の形態１における電動送風機について図１〜図５、図８に基づいて以下に詳述する。
【００２１】
図１は、本実施の形態における電動送風機の半断面図である。説明上の理解を容易にするため、図１においては、上側を上方、下側を下方として説明することとする。
【００２２】
図１において、本実施の形態における電動送風機１は上方の送風機２と下方の電動機３から構成される。送風機２は、上面に吸気孔４が設けられた円筒状のファンケース５と、ファンケース５内に配置した遠心ファン６と、エアガイド７によって構成される。
【００２３】
電動機３は、上面が開口した円筒状のモータケース８と、モータケース８内に回転軸９を介して軸受１０に軸支された電機子１１と、電機子１１の外側に配置した界磁部１２により構成される。また、回転軸９の上端には遠心ファン６に締結されている。
【００２４】
図１に示す矢印は、吸気孔４から吸引された空気の流れを表している。遠心ファン６から排出された空気はエアガイド７を介して、下方の電動機３に送られ、その後電動機３方向に送られる。電動機３側に送られた空気はエアガイド７とモータケース８間に設けた難燃性のシートからなる遮蔽板１３により、まず後述のブラシ１５を内包するブラシ管１４を冷却し、その後ブラシ１５と整流子１６と上方の軸受１０を冷却し、その後電機子１１と界磁部１２を冷却した後、モータケース８の排気口８ａから排出される。
【００２５】
図２は、電動送風機１のエアガイド７を下方から見た図で、エアガイド７と一体的に、縦方向には一対のブラシ保持器１７を備え、中央には軸受１０のためのハウジング部１０ａを備えている。図３は、同、エアガイドに遮蔽板を取りつけた状態での横断面図である。
【００２６】
図８に示すように、エアガイド７に一体的に設けたブラシ保持器１７に、金属性のブラシ管１４が挿入され、ブラシ管１４に有した金属の切り起こしからなる引っ掛け部１９を、略９０度に曲げ起こし、ブラシ保持器１７の溝部２８に挿入してから、図８での右方向にさらに略９０度曲げることで、ブラシ保持器１７に固定している。
【００２７】
ブラシ管１４には通電のための銅の撚り線（図示せず）が埋め込まれたブラシ１５が挿入され、前記銅の撚り線をブラシ管１４に溶接することで結線されている。
【００２８】
また、ブラシ１５を整流子１６に当接させるため、ブラシ管１４とブラシ１５の間にはバネ（図示せず）が配備されている。
【００２９】
図３に示すようにブラシ保持器１７側面部に溝部２８を設けている。図４、図５に示すように遮蔽板１３には、ブラシ保持器１７の溝部２８に入り込んで引っ掛かるような重複部２６を持たせた形状にしている。これにより、遮蔽板１３を回転軸方向に支持固定している。
【００３０】
また、図４に示すようにエアガイド７に設けた支柱１８に、遮蔽板１３に設けた穴部２９を嵌め合うことで、遮蔽板１３の回転方向を支持固定している。
【００３１】
以上のように本実施の形態における電動送風機１の構成によれば、整流子１６を効果的に冷却して整流子１６の温度上昇を抑える遮蔽板１３を容易に取り付け支持することができる。
【００３２】
（実施の形態２）
図６は本発明の実施の形態２における電動送風機のエアガイドと遮蔽板との組立図、図７は、同遮蔽板の上面図、図８は、同エアガイドに遮蔽板を取りつけた状態での横断面図である。なお、上記実施の形態１における電動送風機と同一部分には同一符号を付してその説明を省略する。
【００３３】
図６〜８において、本実施の形態における電動送風機は、図８に示すように、エアガイド７に一体的に設けたブラシ保持器１７に、金属性のブラシ管１４が挿入され、ブラシ管１４に有した金属の切り起こしからなる引っ掛け部１９を、略９０度に曲げ起こし、ブラシ保持器１７の側面部に設けた溝部２８に挿入してから、図８での右方向にさらに略９０度曲げることで、ブラシ保持器１７に固定している。
【００３４】
図７に示すように遮蔽板１３は、ブラシ管１４の引っ掛け部１９に引っ掛かるような切り欠き部２７が設けてある。これにより、図６、図８に示すように、遮蔽板１３をエアガイド７に装着する際に、切り欠き部２７を撓まして引っ掛け部１９の下側に押さえ込むことで、遮蔽板１３の回転軸方向への位置規制ができ支持固定することができる。
【００３５】
また、図６に示すようにエアガイド７に設けた支柱１８に、遮蔽板１３に設けた穴部２９を嵌め合うことで、遮蔽板１３の回転方向を支持固定することができる。
【００３６】
以上のように本実施の形態における電動送風機１の構成によれば、整流子１６を効果的に冷却して整流子１６の温度上昇を抑える遮蔽板１３を容易に取り付け支持することができる。
【００３７】
（実施の形態３）
図９は本発明の実施の形態３における電動送風機の電動機の上面図、図１０は、同電動送風機の遮蔽板の上面図、図１１は、同電動機と遮蔽板の組立図である。なお、上記実施の形態における電動送風機と同一部分には同一符号を付してその説明を省略する。
【００３８】
図９は、本実施の形態における電動送風機の送風機２と電機子１１を取り除いた状態で、上方から見た図である。本実施の形態における電動送風機では、モータケース８に圧入固定された界磁巻線２０と、界磁巻線２０を巻くための巻枠２１を備え、巻枠２１内に収まるように界磁巻線２０が巻回されている。
【００３９】
図１０に示すように遮蔽板１３の内周には切り欠き溝２３を設け、遮蔽板１３をエアガイド７に装着する際に、切り欠き溝２３を前記巻枠２１に嵌め込むことによって、遮蔽板１３を固定するようにしている。
【００４０】
以上のように本実施の形態における電動送風機１の構成によれば、整流子１６を効果的に冷却して整流子１６の温度上昇を抑える遮蔽板１３を容易に取り付け支持することができる。
【００４１】
（実施の形態４）
図１２は本発明の実施の形態４における電動送風機の遮蔽板の上面図、図１３は同電動機と遮蔽板の組立図、図１４は図１３のＡ方向から見た部分拡大図である。なお、上記実施の形態における電動送風機と同一部分には同一符号を付してその説明を省略する。
【００４２】
本実施の形態における電動送風機は、モータケース８に圧入固定された界磁巻線２０と、界磁巻線２０を巻くための巻枠２１を備え、巻枠２１内に収まるように界磁巻線２０が巻回されている。
【００４３】
図１２〜図１４に示すように、モータケース８外周部はファンケース５を嵌め合うため、円筒形状となっており、このモータケース８の外周側壁の一部に孔部２４を設け、遮蔽板１３の外側に突起部２５を設け、この突起部２５を前記モータケース８の外周側壁の一部に設けた孔部２４に挿入し、支持するようにしたものである。
【００４４】
以上のように本実施の形態における電動送風機１の構成によれば、整流子１６を効果的に冷却して整流子１６の温度上昇を抑える遮蔽板を容易に取り付け支持することができる。
【００４５】
また、上記実施の形態１〜４のいずれかの電動送風機１を電気掃除機（図示せず）に使用すれば、信頼性の高い電気掃除機を提供することができる。
【産業上の利用可能性】
【００４６】
本発明に係る電動送風機は、遮蔽板で、整流子を効果的に冷却して整流子の温度上昇を抑えることできると共に、その遮蔽板を容易に取り付けることができるもので、電動送風機を有する各種電気掃除機に広く利用可能である。
【符号の説明】
【００４７】
１  電動送風機
２  送風機
３  電動機
４  吸気孔
５  ファンケース
６  遠心ファン
７  エアガイド
８  モータケース
９  回転軸
１０  軸受
１１  電機子
１２  界磁部
１３  遮蔽板
１４  ブラシ管
１５  ブラシ
１６  整流子
１７  ブラシ保持器
１８  支柱
１９  引っ掛け部
２０  界磁巻線
２１  巻枠
２３  切り欠き溝
２４  孔部
２５  突起部
２６  重複部
２７  切り欠き部
２８  溝部
２９  穴部
【図１】
2016044587.tif 000003
【図２】
2016044587.tif 000004
【図３】
2016044587.tif 000005
【図４】
2016044587.tif 000006
【図５】
2016044587.tif 000007
【図６】
2016044587.tif 000008
【図７】
2016044587.tif 000009
【図８】
2016044587.tif 000010
【図９】
2016044587.tif 000011
【図１０】
2016044587.tif 000012
【図１１】
2016044587.tif 000013
【図１２】
2016044587.tif 000014
【図１３】
2016044587.tif 000015
【図１４】
2016044587.tif 000016